(57)【要約】      （修正有）【課題】電飾部材のランプと表示によって演出効果や豊富な表示を可能とするビデオスロットマシンのサイド電飾を提供し、更に、ビデオスロットマシンのサイド電飾の色彩を高級感のある色彩に自由に変更することができること。【解決手段】タッチモニターのようなデイスプレイ上に形成された複数の疑似リールを疑似周回転させると共にそれら疑似リールを個別に停止させて、疑似リールに表示された文字或いは図柄表示を当たり状態に表示するようにしたビデオスロットマシンにおいて、サイド電飾部材はアルミ蒸着によりハーフミラー層を形成した透光性プラスチック製部材であって、デイスプレイの両サイドに配置されている。  サイド電飾部材の高さ幅が前記疑似リール及びタッチモニター画面より高い位置に設けられ、サイド電飾部材は電飾状態をより良く発揮させることができる色彩を施した当該サイド電飾部材に取替自在である。【選択図】図２
2008054697.tif 000002
【特許請求の範囲】
【請求項１】
タッチモニターのようなデイスプレイ上に形成された複数の疑似リールを疑似周回転させると共にそれら疑似リールを個別に停止させて、疑似リールに表示された文字或いは図柄表示を当たり状態に表示するようにしたビデオスロットマシンにおいて、サイド電飾部材はアルミ蒸着した透光性プラスチック製部材であって、タッチモニターのようなデイスプレイの両サイドに配置されて、その部材の内部に複数の光源ランプが設置されていることを特徴とするビデオスロットマシンのサイド電飾。  
【請求項２】
前記サイド電飾部材の高さ幅が前記疑似リール及びタッチモニター画面より高い位置に設けられていると共に、当該高さが遊技者側に向けて設けられていることを特徴とする請求項１に記載のビデオスロットマシンのサイド電飾。  
【請求項３】
前記アルミ蒸着した透光性プラスチック製サイド電飾部材は、電飾状態をより良く発揮させることができる色彩を施した当該サイド電飾部材に取替自在であることを特徴とする請求項１或いは請求項２に記載のビデオスロットマシンのサイド電飾。
【請求項４】
透光性プラスチック製部材は基材の表面にアルミ蒸着によってハーフミラー層を形成することを特徴とする請求項１から請求項３のいずれか一項に記載のビデオスロットマシンのサイド電飾。
【請求項５】
前記透光性プラスチック製基材表面のアルミ蒸着層の表面に塗装層を形成することを特徴とする請求項１から請求項４のいずれか一項に記載のビデオスロットマシンのサイド電飾。
【請求項６】
透光性プラスチック製部材の内部に設置されている複数の光源ランプは制御部のプログラムソフトによりその強度の調整や点灯や消灯を行うことを特徴とする請求項１から請求項５のいずれか一項に記載のビデオスロットマシンのサイド電飾。
【発明の詳細な説明】
【技術分野】
【０００１】
この発明は、タッチモニターであるデイスプレイ上に形成された複数の疑似リールを疑似周回転させると共にそれら疑似リールを個別に停止させるビデオスロットマシンのサイド電気装飾に関する。
【背景技術】
【０００２】
従来から、カジノやゲームセンター等に設置される遊戯機としてリール式スロットマシンやビデオ式スロットマシンが知られている。ビデオ式スロットマシンは例えば陰極管や液晶等から成るモニター表示装置を備え、そのモニター表示装置に複数の種々の図柄を垂直方向に周期的に移動させる複数のリール部を表示し、これら複数のリール部の停止時に所定の図柄が有効な入賞ライン上に揃ったときに入賞として入賞ライン当たりのベット数に応じた配当を払い出すものである。
【０００３】
このビデオ式スロットマシンにおいては、その遊戯方法には差がなく、スロットマシンを構成する外観ボックスに描かれる図柄や疑似リールに描かれる識別文字や図柄、リールの近傍に設けた表示装置に表示される画像等の各種演出に趣向を凝らし、魅力あるスロットマシンを提供することが行われている。その他にも、スロットマシンにおいて遊戯状況に応じて点滅される装飾ランプによる演出もなされている（特許文献１）。さらに、装飾ランプに用いられるレンズの耐久性を向上し且つリサイルク性を考慮したスロットマシン（特許文献２）も提供されている。  
【０００４】
さらに、表示の多様化のために、リールの表示帯がアルミ蒸着によってハーフミラー層を形成し、内部照明の点灯や消灯により透過光と反射光を切り替えて図柄を照明できる図柄表示装置（特許文献３）も提供されている。しかし、スロットマシンのデイスプレイのサイド部材は電飾を備えているが、今までのスロットマシンの電飾部材は透明樹脂や単に着色された半透明性の樹脂がほとんどであるため、電飾が点灯している時や更には消灯している時にはスロットマシンの高級感があまり得られず、演出効果が今一つ物足りないものであった。
【特許文献１】特開２００４−２４４４７号公報
【特許文献２】特開２００４−２４８０４号公報
【特許文献３】特開２００２−３０１２２４号公報
【発明の開示】
【発明が解決しようとする課題】
【０００５】
この発明の課題は、ビデオ式スロットマシンにおける従来のサイド電飾部材の欠点を克服し、そして電飾部材のランプと表示によって演出効果や豊富な表示を可能とするビデオスロットマシンのサイド電飾を提供し、更に、ビデオスロットマシンのサイド電飾の色彩を高級感のある色彩に自由に変更することができることである。
【課題を解決するための手段】
【０００６】
この発明の課題は、タッチモニターのようなデイスプレイ上に形成された複数の疑似リールを疑似周回転させると共にそれら疑似リールを個別に停止させて、疑似リールに表示された文字或いは図柄表示を当たり状態に表示するようにしたビデオスロットマシンにおいて、サイド電飾部材はアルミ蒸着した透光性プラスチック製部材であって、タッチモニターのようなデイスプレイの両サイドに配置されて、その部材の内部に複数の光源ランプが設置されていることによって、解決される。
【０００７】
この発明は、サイド電飾部材の高さ幅が前記疑似リール及びタッチモニター画面より高い位置に設けられていると共に、当該高さが遊技者側に向けて設けられていること、アルミ蒸着した透光性プラスチック製サイド電飾部材は、電飾状態をより良く発揮させることができる色彩を施した当該サイド電飾部材に取替自在であること、そして透光性プラスチック製部材が基材の表面にアルミ蒸着によってハーフミラー層を形成することを特徴とする。
【０００８】
この発明のビデオスロットマシンのサイド電飾は、透光性プラスチック製基材表面のアルミ蒸着層の表面に塗装層を形成すること、そして透光性プラスチック製部材の内部に設置されている複数の光源ランプは制御部のプログラムソフトによりその強度の調整や点灯や消灯を行うことを特徴とする。
【発明の効果】
【０００９】
この発明のビデオスロットマシンのサイド電飾によると、電飾部材のランプと表示によって演出効果や豊富な表示を可能となる。更に、電飾部材内のランプの表示点滅等の演出が、遊技者側に高さを有する電飾部材の側面部を介して周囲に伝えられることになるため、リーチ等の変化が遊技者本人ばかりでなく周囲の人からも見やすくなることで演出効果を高め、ビデオスロットマシンに引きつけることができ、遊技をしてみたくなるという娯楽性を向上させることができる。
【００１０】
この発明のビデオスロットマシンのサイド電飾によると、アルミ蒸着層の表面に薄く塗装することによって色々な色彩にすることができる。例えば、アルミ蒸着層に薄い黄色塗装を加えると、金色に見える。また、サイド電飾を内部のライト色に対応させて電飾状態をより良く発揮できる色彩のサイド電飾に取り替えることにより周囲の人の目を引くことができ、演出効果を高めることができる。
【００１１】
このサイド電飾部材は多様な文字或いは図柄を表示して演出効果や豊富な表示を可能とできる。ランプの点灯や消灯による透過光と反射光の演出もできる。スロットマシンのゲームにおけるボーナス入賞時には、そのボーナス状態を遊技者に明瞭に知らせることもできる。  
【００１２】
この発明のビデオスロットマシンのサイド電飾によると、光源ランプは制御部のプログラムソフトによりその強度の調整や点灯や消灯を行うこともできるので、透過光と反射光の演出効果や多彩な照明効果を奏する。  
【発明を実施するための最良の形態】
【００１３】
次に、この発明は、実施の形態について図面を参照して説明する。図１はこの発明のサイド電飾を備えるビデオスロットマシンの正面図を示し、図２はこの発明のサイド電飾をビデオスロットマシンの外観から取り外した斜視図を示し、図３はこの発明のサイド電飾部材の断面構造の模式側面拡大図を示す。
【実施例１】
【００１４】
図１は、この発明のサイド電飾を備えるビデオスロットマシンの正面図を示し、スロットマシンの上部ボックス１２にはその正面に上部パネル１３を備え、頭部にタワーランプ２４を備える。上部ボックス１２の下のボックスには上扉１５の上に左右の上スピーカー１４を備え、上扉１５の中部パネル１６にはタッチモニター１７が設けられている。この中部パネル１６の左右両側には、サイド電飾１８が設けられいる。
【００１５】
下部ボックスの中部パネル１６の下には、拡張パネル１９、操作ボタン２０、コイン投入口２８、紙幣投入口２９を備えている。下部ボックスの下部に設けた下扉３０はカウンター２１、左右の下スピーカー２２とコイン受け皿２３を備えている。スロットマシンの側壁には設定キー２５、上扉開閉レバー２６や上扉開閉キー２７が設けられ、また下方には下扉開閉レバー３１と下扉開閉キー３２が設けられている。
【００１６】
図２は、この発明のサイド電飾部材１８をビデオスロットマシンの外観の左側前面１１から取り外した斜視図を示し、サイド電飾部材１８はタッチモニター１７のようなデイスプレイの両側正面に配置されていて、また、その部材１８の内部には複数の光源ランプ１０がスロットマシンの両側正面１１に設置されている。
【００１７】
このビデオスロットマシンは、タッチモニター１７上に形成された複数の疑似リールを疑似周回転させると共にそれら疑似リールを個別に停止させて、疑似リールに表示された文字或いは図柄表示を当たり状態に表示するようにしたビデオスロットマシンであって、このサイド電飾部材１８の高さ幅が前記疑似リール及びタッチモニター画面１７より高い位置に設けられていると共に、当該高さが遊技者側に向けて設けられている。このサイド電飾部材１８は、アルミ蒸着した透光性プラスチック製部材であって、タッチモニター１７の両サイド１１に配置されて、その部材の内部に複数の光源ランプ１０が設置されている。  
【００１８】
図３は、この発明のサイド電飾部材１８の断面構造の模式側面拡大図を示し、サイド電飾部材１８の基材１８ａは、透光性プラスチック製部材であって、基材１８ａの片面にアルミ蒸着した層１８ｃが形成され、基材１８ａの他面には図柄や文字１８ｂを備えている。このサイド電飾部材１８の透光性プラスチック製部材内のランプ１０がカジノやゲームセンター等の店内の照明よりも明るくすれば、ハーフミラー層１８ｃは透明状態になる。ライト１０からの光線は図柄や文字１８ｂ、１８ｂ’を透過するので、透過光の照明効果を奏する。なお、図柄や文字は基材１８ａのハーフミラー層側である表面１８ｂ又は基材１８ａのライト側である１８ｂ’のどちらに設けても良い。
【００１９】
このサイド電飾部材１８の表面では、さらにアルミ蒸着ハーフミラー層１８ｃの上に塗装して塗装層１８ｄを設けることもできる。それ故に、アルミ蒸着層１８ｃの表面に薄く塗装することによって色々な色彩にすることができる。例えば、アルミ蒸着層１８ｃに薄い黄色塗装層１８ｄをを加えると、金色に見える。また、サイド電飾を内部のライト色に対応させて電飾状態をより良く発揮できる色彩のサイド電飾に取り替えることにより周囲の人の目を引くことができ、演出効果を高めることができる。
【００２０】
ビデオスロットマシンの側正面１１に設けられたランプ１０の光線の強度が店内の照明よりも弱くなる場合には、ハーフミラー層１８ｃはミラーとして機能する。ランプ１０は制御部のプログラムソフトによりゲームに状況に応じて光強度の調整や点灯や消灯を行って、それでハーフミラー層１８ｃの透過光と反射光を切り替えてゲームの演出効果や豊富な表示を可能とする。                                                            
【図面の簡単な説明】
【００２１】
【図１】この発明のサイド電飾を備えるビデオスロットマシンの正面図を示す。
【図２】この発明のサイド電飾をビデオスロットマシンの外観から取り外した斜視図を示す。
【図３】この発明のサイド電飾部材の断面構造の模式側面拡大図を示す。
【符号の説明】
【００２２】
１０．．．．ランプ
１１．．．．スロットマシンの側正面
１２．．．．上部ボックス
１３．．．．．上部パネル
１４．．．．．左右の上スピーカー
１５．．．．．上扉
１６．．．．．中部パネル
１７．．．．．タッチモニター
１８．．．．．サイド電飾
１８ａ．．．．基材
１８ｂ．．．．図柄や文字
１８ｂ’．．．図柄や文字
１８ｃ．．．．アルミ蒸着ハーフミラー層
１８ｄ．．．．塗装層
１９．．．．．拡張パネル
２０．．．．．操作ボタン
２１．．．．．カウンター
２２．．．．．左右の下スピーカー
２３．．．．．コイン受け皿
２４．．．．．タワーランプ
２５．．．．．設定キー
２６．．．．．上扉開閉レバー
２７．．．．．上扉開閉キー
２８．．．．．コイン投入口
２９．．．．．紙幣投入口
３０．．．．．下扉
３１．．．．．下扉開閉レバー
３２．．．．．下扉開閉キー
【図１】
2008054697.tif 000003
【図２】
2008054697.tif 000004
【図３】
2008054697.tif 000005